(57)【要約】【課題】  給水圧が低い場合においても便器を洗浄するために十分な瞬間流量を確保することが可能な流路開閉装置を提供することを目的とする。【解決手段】  一次側流路と二次側流路との間の流路開閉を行う主弁体及び主弁座を有する主バルブと、一次側流路から二次側流路へ流れる水の瞬間流量を一定に保つ定流量弁体及び定流量弁座を有する定流量バルブと、を備え、主弁体及び定流量弁体は一体化された弁体部材として形成され、主弁体を主弁座に近づけるように背圧を作用させる背圧室と、弁体部材の駆動量を調整するように弁体部材の摺動方向に沿って移動する位置調整部材と、位置調整部材を挟んで背圧室とは反対側に設けられ、位置調整部材を弁体部材に近づけるように背圧を作用させる副背圧室と、一次側流路と副背圧室とを連通させる副一次流路の途中に設けられ、副一次流路の流路断面積を調整可能な流路調整機構と、を備える流路開閉装置。【選択図】  図２
2014189998.tif 000002
【特許請求の範囲】
【請求項１】
給水を開始する指示を受けることで便器に給水を開始し、所定の条件を満たすことで自律的に給水を停止する流路開閉装置であって、
給水源に連通する一次側流路と給水先である前記便器へ連通する二次側流路との間の流路開閉を行う主弁体及び主弁座を有する主バルブと、
前記一次側流路から前記二次側流路へ流れる水の瞬間流量を一定に保つように相互間に形成される流路断面積を調整する定流量弁体及び定流量弁座を有する定流量バルブと、を備え、
前記主弁体及び前記定流量弁体は一体化された弁体部材として形成され、
前記便器を洗浄するための洗浄水を前記便器に供給する際には、前記弁体部材を後退方向に駆動し、前記主弁体を前記主弁座から離隔させることで前記二次側流路に洗浄水を供給するものであって、
前記一次側流路から水が流れ込むことで、前記主弁体を前記主弁座に近づけるように背圧を作用させる背圧室と、
前記一次側流路と前記背圧室とを連通させる背圧流路と、
前記弁体部材の駆動量を調整するように前記弁体部材の摺動方向に沿って移動する位置調整部材と、
前記位置調整部材を挟んで前記背圧室とは反対側に設けられ、前記一次側流路から水が流れ込むことで、前記位置調整部材を前記弁体部材に近づけるように背圧を作用させる副背圧室と、
前記一次側流路と前記副背圧室とを連通させる副一次流路と、
この副一次流路の途中に設けられ、前記副一次流路の流路断面積を調整可能な流路調整機構と、を備える流路開閉装置。
【請求項２】
前記位置調整部材の前記弁体部材側への移動を規制する規制部材を備える請求項１に記載の流路開閉装置。
【発明の詳細な説明】
【技術分野】
【０００１】
本発明は、便器に洗浄水を供給する流路開閉装置に関する。
【背景技術】
【０００２】
一次側流路と二次側流路との間の流路開閉を行い便器に洗浄水を供給する流路開閉装置において、主弁体と定流量弁体とが一体化された弁体部材と、一次側流路における給水圧に応じて弁体部材の可動量を調整するように摺動する位置調整部材とを備えるものが知られている（例えば、特許文献１参照。）。この位置調整部材は、弁体部材を可動させるための背圧室と、位置調整部材を挟んで背圧室とは反対側に設けられる副背圧室との差圧により摺動する。
【先行技術文献】
【特許文献】
【０００３】
【特許文献１】特開２０１１−２２６２４９号公報
【発明の概要】
【発明が解決しようとする課題】
【０００４】
上述した従来の流路開閉装置においては、一次側流路からの給水圧の高低に関わらず、位置調整部材が摺動して弁体部材の可動を抑制する。そのため、給水圧が低い場合、給水圧の低さに加えて、位置調整部材により弁体部材の可動が抑制され一次側流路と二次側流路との間の流路の開度が小さくなってしまうことで、二次側流路へ流れる水の瞬間流量が減少してしまう可能性があった。その場合、水の瞬間流量が減少してしまうことで、便器を十分に洗浄できないという懸念があった。
【０００５】
本発明は、上述した問題を解決するためになされたものであり、給水圧が低い場合においても便器を洗浄するために十分な瞬間流量を確保することが可能な流路開閉装置を提供することを目的とする。
【課題を解決するための手段】
【０００６】
本発明は、給水を開始する指示を受けることで便器に給水を開始し、所定の条件を満たすことで自律的に給水を停止する流路開閉装置であって、給水源に連通する一次側流路と給水先である前記便器へ連通する二次側流路との間の流路開閉を行う主弁体及び主弁座を有する主バルブと、前記一次側流路から前記二次側流路へ流れる水の瞬間流量を一定に保つように相互間に形成される流路断面積を調整する定流量弁体及び定流量弁座を有する定流量バルブと、を備え、前記主弁体及び前記定流量弁体は一体化された弁体部材として形成され、前記便器を洗浄するための洗浄水を前記便器に供給する際には、前記弁体部材を後退方向に駆動し、前記主弁体を前記主弁座から離隔させることで前記二次側流路に洗浄水を供給するものであって、前記一次側流路から水が流れ込むことで、前記主弁体を前記主弁座に近づけるように背圧を作用させる背圧室と、前記一次側流路と前記背圧室とを連通させる背圧流路と、前記弁体部材の駆動量を調整するように前記弁体部材の摺動方向に沿って移動する位置調整部材と、前記位置調整部材を挟んで前記背圧室とは反対側に設けられ、前記一次側流路から水が流れ込むことで、前記位置調整部材を前記弁体部材に近づけるように背圧を作用させる副背圧室と、前記一次側流路と前記副背圧室とを連通させる副一次流路と、この副一次流路の途中に設けられ、前記副一次流路の流路断面積を調整可能な流路調整機構と、を備える流路開閉装置である。
【０００７】
このように構成された本発明においては、流路調整機構により、副背圧室への水の流入を抑制することができる。そのため、低給水圧の場合において、位置調整部材により主弁体の可動量が抑制されることを防ぐことができ、二次側流路における水の瞬間流量が低下することを抑制することができる。
【０００８】
本発明は、さらに、前記位置調整部材の前記弁体部材側への移動を規制する規制部材を備える構成としてもよい。
【０００９】
このように構成された本発明においては、主弁体を主弁座へ着座させる方向への速度を位置調整部材が増加させることを抑制し、主弁体の閉止速度が上がることで生じるウォーターハンマを抑制することができる。
【発明の効果】
【００１０】
本発明の流路開閉装置によれば、給水圧によらずに便器へ供給する洗浄水の瞬間流量を一定に保つことが可能となる。
【図面の簡単な説明】
【００１１】
【図１】本発明の第一実施形態に係るフラッシュバルブを大便器への給水管に取り付けた状態を示す模式図。
【図２】本発明の第一実施形態に係るフラッシュバルブの内部構造を示す断面図。
【図３】図２の断面積調整部材を入れ替えた状態を示す部分断面図。
【図４】本発明の第一実施形態に係るフラッシュバルブの動作を示す図。
【図５】本発明の第一実施形態に係るフラッシュバルブの動作を示す図。
【図６】本発明の第二実施形態に係るフラッシュバルブの内部構造を示す部分断面図。
【図７】本発明の第一実施形態及び第二実施形態における流路調整機構の変形例を示す部分断面図。
【発明を実施するための形態】
【００１２】
以下、図面を参照して本発明の一実施形態に係る流路開閉装置について説明する。
まず、図１により本発明の第一実施形態に係るフラッシュバルブ（流路開閉装置）を含む大便器の構成について説明する。図１は本発明の第一実施形態に係るフラッシュバルブを大便器への給水管に取り付けた状態を示す模式図である。
【００１３】
図１に示すように、本発明の第一実施形態に係るフラッシュバルブＦＶ（流路開閉装置）は、大便器ＳＢへの給水管ＴＢの途中に取り付けられている。フラッシュバルブＳＶは、給水を開始する指示を受けることで、給水管ＴＢを経由する流路を開いて大便器ＳＢに給水を開始する。その後、フラッシュバルブＦＶは、所定の条件を満たすことで自律的に流路を閉じて給水を停止する。
【００１４】
大便器ＳＢは、封水部ＳＷが設けられている。封水部ＳＷには溜水がなされ、封水が形成されている。大便器ＳＢの使用後にフラッシュバルブＦＶを操作すると、フラッシュバルブＦＶから略一定の瞬間流量で洗浄水が供給される。この洗浄水によって、封水部ＳＷの溜水及び汚物が流される。本実施形態の場合、大便器ＳＢはサイホン方式の便器であり、サイホン現象によって洗浄水は汚物とともに下流側へ流される。本実施形態のフラッシュバルブＦＶは、洗浄後に封水部ＳＷにリフィル水を供給するように構成されている。
【００１５】
フラッシュバルブＦＶは、本体部１０と、電磁弁８２とを備えている。本体部１０内には、給水源である給水管ＴＢに繋がる一次側流路２０と、給水先である大便器ＳＢに繋がる二次側流路３０とが形成されている。本体部１０内には弁体部材４０が配置されている。弁体部材４０は、一次側流路２０と二次側流路３０との間の流路開閉を行うものである。電磁弁８２は、バイパス流路８０に設けられている。電磁弁８２を開くことで、弁体部材４０の背圧が下がり弁体部材４０は開弁される。
【００１６】
次に、図２及び図３により本発明の第一実施形態に係るフラッシュバルブＦＶの内部構造について説明する。図２は本発明の第一実施形態に係るフラッシュバルブＦＶの内部構造を示す断面図であり、図３は図２の断面積調整部材を入れ替えた状態を示す部分断面図である。図２に示すように、フラッシュバルブＦＶは、本体部１０を備えている。本体部１０の内部には、一次側流路２０と、二次側流路３０と、背圧室１４と、副背圧室１２とが形成されている。
【００１７】
一次側流路２０は、給水管ＴＢのフラッシュバルブＦＶよりも上流側の流路から流入水を受け入れて、二次側流路３０に向けて流出させるものである。一次側流路２０の上流端には流入口２１が設けられている。流入口２１は、流入水を受け入れて一次側流路２０に送り出す開口部である。
【００１８】
二次側流路３０は、一次側流路２０から流入する水を給水管ＴＢのフラッシュバルブＦＶよりも下流側の流路に流出水として流出させるものである。二次側流路３０の下流端には流出口３１が設けられている。流出口３１は、二次側流路３０から流出水を送り出す開口部である。
【００１９】
一次側流路２０と二次側流路３０との間には、弁体部材４０が配置されている。弁体部材４０は、下流側の一端が二次側流路３０に挿入されており、その反対側の他端が背圧室１４に臨むように配置されている。弁体部材４０は、二次側内部流路３０の下流方向に沿って進退自在に配置されている。弁体部材４０は、その上部に設けられた主弁体４２と、その下部に設けられた定流量弁体４４とからなり、両者が一体となって構成されている。
【００２０】
主弁体４２は、一次側流路２０と二次側流路３０との間の流路開閉を行うためのものである。主弁体４２は下流側の面において、主弁体面４２１を有している。弁体部材４０が最も下流側に押し込まれると、主弁体面４２１が一次側流路２０の二次側流路３０に対する境界面に当接し、一次側流路２０と二次側流路３０との間の水の流通を遮断するように構成されている。従って、主弁体面４２１が当接する境界面は、主弁座面２０１（主弁座）として機能しており、主弁体４２及び主弁座面２０１は主バルブとして機能する。
【００２１】
定流量弁体４４は、一次側流路２０から二次側流路３０へ流れる水の瞬間流量を調整するためのものである。定流量弁体４４は、その外側面４４１において、溝状に形成されたスリット４４２を有している。スリット４４２は、均等な間隔で４つ形成され、各スリット４４２は、断面が矩形の有底な溝であり、外側面４４１の下端から中程まで形成されている。定流量弁体４４の外側面４４１は、二次側流路３０の内側壁と近接して対向している。弁体部材４０が、一次側流路２０と二次側流路３０との間に水を通すように上昇（背圧室１４へ入り込む方向、後退方向、開弁方向）すると、水は二次側流路３０の内側壁とスリット４４２により形成された空間を通過し、二次側流路３０へと流入する。従って、二次側流路３０の内側壁は、定流量弁座面３２（定流量弁座）として機能しており、定流量弁体４４及び定流量弁座面３２は定流量バルブとして機能する。
【００２２】
定流量弁体４４において、スリット４４２は上下方向に延びているため、弁体部材４０が上昇するほど水の流路断面積は広くなり、流量を増やすように作用する。一方、弁体部材４０が、一次側流路２０と二次側流路３０との間に水を通すように上昇（背圧室１４へ入り込む方向）し、その後下降（流出口３１へ向かう方向、前進方向、閉弁方向）すると、水の流路断面積は狭くなっていき、流量を絞るように作用する。即ち、定流量弁体４４及び定流量弁座面３２は、一次側流路２０から二次側流路３０へ流れる水の瞬間流量を一定に保つように相互間に形成される流路断面積を調整する。
【００２３】
主弁体４２の下側であって、定流量弁体４４の上側には、その上端面が主弁体面４２１に当接する均圧部材４２３が設けられている。均圧部材４２３は、略円環状に形成され、主弁体４２周辺における水圧の偏りを調整する部材である。均圧部材４２３は、主弁体４２周辺の水圧の偏りを抑制することで、主弁体４２閉止間際における水圧の偏りを原因とする主弁体４２の不安定な閉弁動作を抑制することができる。
【００２４】
主弁体４２は、その上部側において収容凹部４６が設けられている。収容凹部４６は、背圧室１４側から後退するように凹状に形成されている。収容凹部４６の背圧室１４側には、副弁座４６５が設けられている。収容凹部４６は、孔４６１と、凹部４６２と、副孔４６３（背圧流路）とが形成されている。
【００２５】
孔４６１は、一次側流路２０と凹部４６２とを繋ぐ連通孔として形成されている。孔４６１は主弁体４２に設けられた円筒状のメッシュ部材４２４により覆われる。メッシュ部材４２４は一次側流路２０から孔４６１へ流入する水に含まれる異物を取り除く。凹部４６２は、バネ５０と、副弁桿４８とを収容している。凹部４６２内には、副弁桿４８の先端の大径部４８１が配置されている。大径部４８１は、バネ５０と当接しており、バネ５０を介して弁体部材４０を流出口３１に向けて付勢している。
【００２６】
副弁桿４８は、棒状に延びる小径部４８３と、小径部４８３の先端に設けられている副弁体４８１とを有している。小径部４８３は、副弁座４６５に設けられた連通路４６４（背圧流路）を貫通している。連通路４６４と小径部４８３との間には、通水可能な隙間が形成される。従って、孔４６１から凹部４６２に流入した水は、連通路４６４を通って背圧室１４へと流れる。また、孔４６１を通った水の一部は、副孔４６３を通って背圧室１４へと流れる。尚、連通路４６４が閉鎖されている場合は、孔４６１を通った全ての水が副孔４６３を通って背圧室１４へと流れる。
【００２７】
背圧室１４と副背圧室１２とは、第一位置調整部材６０（位置調整部材）によって仕切られて分離されている。第一位置調整部材６０には凹部６０１が設けられている。凹部６０１は、背圧室１４に向けてその外壁が突出する凹部として形成されている。凹部６０１の背圧室１４側には、線形特性を有するバネ７０が配置されている。バネ７０は、一端が凹部６０１内に収容され、他端は第二位置調整部材６５に当接するように配置されている。
【００２８】
第二位置調整部材６５は、その一端側の下面が、副弁桿４８の小径部４８３の一端と離接するように配置されている。第二位置調整部材６５は、バネ７０の巻き線の中心を貫通するように配置され、本体部１０に固定されている。
【００２９】
第二位置調整部材６５の固定方法について説明する。本体部１０の最上部の中心には、その中心軸が鉛直方向である貫通穴１０２が形成され、この貫通穴１０２に対し、円筒形状の保持部材１０３が挿入された状態で螺合固定されている。保持部材１０３の中心にはさらに、その中心軸が貫通孔１０２と共通である貫通孔１０４が形成されている。貫通孔１０４の内周には、雌螺子が形成されるとともに、複数の段差面が形成されている。
【００３０】
第二位置調整部材６５は、副弁桿４８の小径部４８３の一端と離接する下面の上方に形成された棒状の部分であるシャフト部６５２を有している。シャフト部６５２はその外周に雄螺子が形成され有しており、この雄螺子が、保持部材１０３内周に形成された雌螺子に螺合している。このため、シャフト部６５２の軸を中心として第二位置調整部材６５を回転させると、第二位置調整部材６５の位置は上下に移動することとなる。
【００３１】
シャフト部６５２の上部は、その断面が六角形に形成されている。このため、使用者はレンチ等の工具を用いてシャフト部６５２を回転させることで、第二位置調整部材６５の位置を上下方向に調整することが可能となっている。シャフト部６５２には、複数の段差面が形成されている。このため、第二位置調整部材６５の位置を調整できる範囲は、シャフト部６５２の段差面が貫通孔１０２内の段差面に当接する位置がその上限である。
【００３２】
本体部１０の最上部には、その外側面から貫通孔１０４に通じる開口であって、その内周面に雌螺子が形成された固定孔１０７が形成されている。このため、使用者は第二位置調整部材６５の位置を上下方向に調整した後、固定孔１０７にイモ螺子１０９を挿入することにより、それ以降において第二位置調整部材６５が本体部１０に対して回転してしまうことを防止することができる。
【００３３】
以上のように、第二位置調整部材６５はフラッシュバルブＦＶの本体部１０に対して外部から連通した状態で固定されている。また、第二位置調整部材６５の固定位置は、外部からレンチ等の工具を用いて調整することができる。
【００３４】
第一位置調整部材６０は、副背圧室１２と背圧室１４との圧力差によって押される力とバネ７０がそれに対抗しようとする力、及び、第一位置調整部材６０と弁体部材４０に掛かる摺動抵抗とのバランスによって、副背圧室１２を広げる、あるいは、副背圧室１２を狭めるように摺動するように構成されている。背圧室１４に入った水は、バイパス流路８０側へと流れる。
【００３５】
副背圧室１２は、副一次流路２２によって一次側流路２０とつながれている。副一次流路２２は一次側流路２０から上方に向けて延び、副背圧室１２へ向けて略直角に屈曲している。副一次流路２２の途中には、副一次流路２２内部と本体部１０外部とを連通させる開口部２２２が形成されている。開口部２２２の軸心は副一次流路２２と副背圧室１２との境界端面の軸心と略同心となるよう形成される。また、この開口部２２２に対し、第一断面積調整部材２２６が挿入された状態で螺合固定されている（図２参照）。また、第一断面積調整部材２２６はドライバー等の工具により取り外し可能であり、第二断面積調整部材２２８に互いに付け替えることができる（図３参照）。
【００３６】
第一断面積調整部材２２６は、略円筒状に形成され、その外形は副一次流路２２を塞ぐものである。断面積調整部材２２６の内部には第一断面積調整部材２２６内を貫通する内部流路２２６ａが設けられており、この内部流路２２６ａにより流路断面積が確保され、副一次流路２２６は副背圧室１２と一次側流路２０とを連通させることができる。内部流路２２６ａにより一次側流路２０と副背圧室１２とが連通し、副背圧室１２には一次側流路２０にかかる一次圧と同じ圧力がかかることで、副背圧室１２は第一位置調整部材６０を弁体部材４０に近づけるように背圧を作用させる。
【００３７】
第一断面積調整部材２２６と互いに付け替え可能な第二断面積調整部材２２８は、略円筒状に形成され、その外形は副一次流路２２を塞ぐものである。第一断面積調整部材２２６に比べて第二断面積調整部材２２８には内部流路が形成されておらず、副一次流路２２における断面積は確保されない。第二断面積調整部材２２８により副一次流路２２が閉止されるため、副背圧室１２には一次側流路２２にかかる一次圧がかかることがない。そのため、副背圧室１２は第一位置調整部材６０を弁体部材４０に近づけさせるような背圧を作用させることがなく、第二断面積調整部材２２８が開口部２２２に挿入されて螺合固定されている場合、第一位置調整部材６０は、一次側流路２０にかかる流路、即ち給水圧に関わらず移動しない。従って、開口部２２２、第一断面積調整部材２２６及び第二断面積調整部材２２８は、副一次流路２２の流路断面積を調整可能な流路調整機構として機能する。
【００３８】
背圧室１４と二次側流路３０とは、バイパス流路８０によって繋がっている。バイパス流路８０には電磁弁８２が設けられている。電磁弁８２が閉じられていれば、背圧室１４の内部には一次圧がかかっている。一方、電磁弁８２が開けられると、背圧室１４の水がバイパス流路８０から二次側流路３０に流出し、背圧室１４の内部圧力が低下する。
【００３９】
次に、図４及び図５により本発明の一実施形態であるフラッシュバルブＦＶの動作について説明する。図４及び図５は本発明の第一実施形態に係るフラッシュバルブＦＶの動作を示す図である。図４及び図５それぞれの（ａ）は給水圧が低圧且つ第一断面積調整部材２２６が取り付けられた状態を示し、図４及び図５それぞれの（ｂ）は給水圧が低圧且つ第二弾面積調整部材２２８が取り付けられた状態を示し、図４及び図５それぞれの（ｃ）は給水圧が高圧且つ第一断面積調整部材２２８が取り付けられた状態を示す。
【００４０】
図４（ａ）〜（ｃ）に示すように、電磁弁８２が閉じられていると、背圧室１４及び副背圧室１２には、一次側内部流路２０と同じ一次圧がかかっている。弁体部材４０の主弁体４２も一次圧によって流出口３１側に押し込まれており、主弁体４２が一次側内部流路２０と二次側内部流路３０の境界面に密着して止水されている。また、副弁体４８１と副弁座４６５は当接しているので、副孔４６３及び連通路４６４の合算面積（小穴面積）は、副孔４６３のみの流路断面積となる。
【００４１】
続いて、図５（ａ）〜（ｃ）に示すように、時刻ｔ１で電磁弁８２が開かれると、まず背圧室１４内の水が流出する。背圧室１４内の水が流出すると、背圧室１４内の圧力が低下する。このとき、図５（ａ）及び（ｃ）に示すように第一断面積調整部材２２６が取り付けられている場合は、第一断面積調整部材２２６の内部流路２２６ａ及び副一次流路２２により、一次側流路２０と副背圧室１２とが連通しているため、背圧室１４と副背圧室１２との圧力差が生じる。そのため、第一位置調整部材６０が押し下げられる。一方、図５（ｂ）に示すように第二断面積調整部材２２８が取り付けられている場合は、副一次流露２２が閉止されているため、背圧室１４と副背圧室１２との圧力差が生じず、第一位置調整部材６０は移動しない。また、図５（ａ）〜（ｃ）いずれにおいても第二位置調整部材６５は本体部１０に固定されているため移動しない。
【００４２】
図５（ａ）及び（ｃ）においては、バネ７０は、移動しない第二位置調整部材６５と第一位置調整部材６０との間に配置されているため、第一位置調整部材６０が押し下げられるとバネ７０は縮んで反力を発生させる。第一位置調整部材６０が弁体部材４０に近づく量は、第一位置調整部材６０が副背圧室１２と背圧室１４との差圧によって押される力とバネ７０がそれに対抗しようとする力、及び第一調整部材６０と弁体部材４０に掛かる摺動抵抗とのバランスによって定められる。すなわち、第一位置調整部材６０は、第二位置調整部材６５からの距離を一次圧によって変化させるものである。従って、図５の（ａ）に示されるように給水圧が低く且つ第一断面積調整部材２２６が取り付けられている場合は、第一位置調整部材６０はあまり押し下げられず、図５の（ｃ）に示されるように給水圧が高く且つ第一断面積調整部材２２６が取り付けられている場合は、第一位置調整部材６０は大きく押し下げられる。
【００４３】
図５（ａ）〜（ｃ）いずれにおいても、背圧室１４内の水が流出すると、弁体部材４０が背圧室１４側に押し上げられる。弁体部材４０の主弁体４２（主弁体面４２１）が主弁座面２０１から離脱するので、一次側内部流路２０から二次側内部流路３０に水が流れる。この一次側内部流路２０から二次側内部流路３０に流れる水の流量は、スリット４４２を通過する流路を流れる流量であって、一次側内部流路２０からスリット４４２に水が流入する個所における、スリット４４２の縦方向長さ（流路断面積の大きさ）によって調整される。すなわち、弁体部材４０の位置に応じて流量が調整される。
【００４４】
第一位置調整部材６０は、弁体部材４０のリフト量（最大変位量）を調整し、図５（ａ）のように比較的少なく押し下げられると弁体部材４０のリフト量は大きくなり、図５（ｂ）のように全く押し下げられないと弁体部材４０のリフト量はさらに大きくなり、図５（ｃ）のように比較的多く押し下げられると弁体部材４０のリフト量は小さくなる。また、副弁体４８１と副弁座４６５は離隔しているので、副孔４６３及び連通路４６４の合算面積（小穴面積）は、副孔４６３及び連通路４６４の流路断面積となる。
【００４５】
図５（ａ）のように給水圧が低い場合に弁体部材４０のリフト量が大きくなり、図５の（ｃ）のように給水圧が高い場合に弁体部材４０のリフト量が小さくなるので、大便器ＳＢ側に供給される洗浄水の瞬間流量の差は抑制される。また、図５（ｂ）のように第一断面積調整部材２４４を第二断面積調整部材２４６に付け替えることで、弁体部材４０のリフト量を図５（ａ）におけるリフト量よりもさらに大きくすることができる。そのため、給水圧の高低に応じて、第一断面積調整部材２４４を第二断面積調整部材２４６に付け替えることで、大便器ＳＢ側に供給される洗浄水の給水圧による瞬間流量の差はさらに抑制され、略同一なものとなる。尚、大便器ＳＢに供給される洗浄水の瞬間流量を厳密に同一に保つ必要はなく、ある程度の範囲内での同等の瞬間流量を確保できれば足りるものである。
【００４６】
続いて、時刻ｔ２で電磁弁８２が閉じられると、副孔４６３及び連通路４６４を通って、背圧室１４内に水が溜まる。副弁体４８１と副弁座４６５は離隔しているので、副孔４６３及び連通路４６４の合算面積（小穴面積）は、副孔４６３及び連通路４６４の流路断面積となる。従って、背圧室１４には一気に多くの水が流入する。図４（ａ）〜（ｃ）に示すように、背圧室１４に一気に多くの水が流入すると、弁体部材４０は流出口３１方向（閉弁方向）に押し下げられる。主弁体４２が主弁座面２０１に当接するまで弁体部材４０が押し下げられると、スリット４４２が閉じられた状態となるため、大便器ＳＢに対する水の供給が停止される。なお、電磁弁８２が閉じられてから、大便器ＳＢに対する水の供給が停止されるまでに大便器ＳＢに供給される水が、大便器ＳＢの封水部ＳＷに供給されるリフィル水として用いられる。
【００４７】
また、第二位置調整部材６５は、その位置によって第一位置調整部材６０の位置を調整する調整量修正手段として機能している。この調整量修正手段によって、洗浄水の供給量が設計値から外れたような場合であっても、調整量修正手段によって調整することが可能である。従って、無駄水が生じることや、逆に給水量が不足して封水切れや洗浄不良が生じることが確実に防止される。
【００４８】
上述した本発明の第一実施形態によるフラッシュバルブＦＶによれば、第一断面積調整部材２２６を第二断面積調整部材２２８に付け替えることで、副一次流路２２を介した副背圧室１２への水の流入を防止することができる。そのため、給水圧が低い場合において、第一位置調整部材６０により弁体部材４０の可動量が抑制されることを防ぐことができ、弁体部材４０のリフト量を大きくすることができる。従って、二次側流路３０における洗浄水の瞬間流量の低下を抑制することができる。
【００４９】
次に、図６により上述した本発明の第一実施形態の変形例である第二実施形態について説明する。図６は本発明の第二実施形態に係るフラッシュバルブＦＶの内部構造を示す部分断面図である。この第二実施形態において、第一実施形態と同一部分には同一符号を付し、説明を省略するとともに、異なる部分のみ説明する。
【００５０】
図６に示すように本発明の第二実施形態に係るフラッシュバルブＦＶは、保持部材１０３の第一位置調整部材６０下側に設けられる規制部材６５８を備える。規制部材６５８は、本体部１０に固定される保持部材１０３に設けられているため、保持部材１０３と同様に、電磁弁８２が開かれ背圧室１４内の水が流出しても移動しない。また、規制部材６５８は、シャフト部６５２に沿って第一位置調整部材６０が下方へと摺動する場合、規制部材６５８の上端が、その凹部６０１の副背圧室１２側の端部と当接するように配置される。
【００５１】
規制部材６５８を設けない場合、大便器ＳＢに対する水の供給の停止間際、即ち、主弁体４２が主弁座面２０１に着座する間際に、水圧が上昇することで第一位置調整部材６０が弁体部材４０を下方へと押し込むことで主弁体４２の閉弁の速度が上昇し、ウォーターハンマが大きくなる可能性があった。それに対して、上述した本発明の第二実施形態によるフラッシュバルブＦＶによれば、規制部材６５８が、第一位置調整部材６０の下方への移動量を規制することができる。そのため、大便器ＳＢに対する水の供給の停止間際に、第一位置調整部材６０が、主弁体４２を主弁座面２０１へ着座させる方向への速度を増加させることを抑制し、主弁体４２の閉弁速度が上がることで生じるウォーターハンマを抑制することができる。なお、本実施形態においては、保持部材１０３に設けられる規制部材６５８により第一位置調整部材６０の弁体部材４０側への移動を規制しているが、本発明はこのような構成に限定されるものではなく、第一位置調整部材６０の弁体部材４０側への移動を規制することが可能であればその設ける場所及び形態は問わない。例えば、本体部１０のない壁面に環状の凸部を設ける構成としてもよい。
【００５２】
上述した第一実施形態及び第二実施形態においては、流路調整機構は、第一断面積調整部材２２６と第二断面積調整部材２２８とを給水圧に応じて付け替えることで、副一次流路２２における流路断面積を調整しているが、本発明はこのような形態に限定されるものではない。例えば、部材を付け替えることなく１つの部材にて流路断面積を調整する構成としてもよい。図７により、流路調整機構の変形例について説明する。図７は本発明の第一実施形態及び第二実施形態における流路調整機構の変形例を示す部分断面図である。
【００５３】
図７（ａ）及び（ｂ）に示すように、この変形例においては、第一断面積調整部材２２６及び第二断面積調整部材２２８に替え、開口部２２２には断面調整部材２２４が挿入され螺合固定されている。断面積調整部材２２４は、ヘッド部２２４ａと、このヘッド部２２４ａから延びるボディ部２２４ｂとを有する。
【００５４】
ヘッド部２２４ａには略円筒形状であり、開口部２２２へ取り付けた状態でその一端面が本体部１０外へ露出するように形成される。ボディ部２２４ｂはヘッド部２２４ａの他端面から延びる略円筒形状であり、ヘッド部２２４ａ側を基端とし、先端に向かうにつれ連続的に縮径していくように形成される。即ち、ボディ部２２４ｂと副一次流路２２内壁との間に流路が形成され、この流路により副一次流路２２は一次側流路２０と副背圧室１２とを連通させることができる。
【００５５】
また、図７（ａ）及び（ｂ）に示すように、ヘッド部２２４ａをドライバー等の工具により操作することで、ボディ部２２４ｂと副一次流路２２内壁との間の流路を大きくする方向（図７における（ｂ）から（ａ））あるいは小さくする方向（図７における（ａ）から（ｂ））へと、断面積調整部材２２４を移動させることができる。この断面積調整部材２２４の移動により、副一次流路２２における流路断面積を変化させることができる。従って、開口部２２２及び断面積調整部材２２４は流路調整機構として機能する。この変形例の流路調整機構においては、断面積調整部材２２４を一次側流路２０における給水圧に応じて、移動させることで副一次流路２０を介して副背圧室１２に流れ込む水の流量を調整することができる。従って、上述した第一断面積調整部材２２６及び第二断面積調整部材２２８の付け替えによる効果と同様の効果を得ることができる。さらに、断面積調整部材２２４は、第一断面積調整部材２２６及び第二断面積調整部材２２８に比べて、１つの部材にてより細かく副一次流路２０を介して副背圧室１２に流れ込む水の流量を調整することができる。
【符号の説明】
【００５６】
ＦＶ：フラッシュバルブ（流路開閉装置）
ＳＢ：大便器
ＳＷ：封水部
ＴＢ：給水管
１０：本体部
１０２：貫通穴
１０３：保持部材
１０４：貫通孔
１０７：固定孔
１０９：イモ螺子
１２：副背圧室
１４：背圧室
２０：一次側流路
２０１：主弁座面（主弁座）
２１：流入口
２２：副一次流路
２２２：開口部
２２４：断面積調整部材
２２４ａ：ヘッド部
２２４ｂ：ボディ部
２２６：第一断面積調整部材
２２８：第二断面積調整部材
３０：二次側流路
３１：流出口
３２：定流量弁座面（定流量弁座）
４０：弁体部材
４２：主弁体
４２１：主弁体面
４２３：均圧部材
４２４：メッシュ部材
４４：定流量弁体
４４１：外側面
４４２：スリット
４６：収容凹部
４６１：孔
４６２：凹部
４６３：副孔（背圧流路）
４６４：連通路（背圧流路）
４６５：副弁座
４８：副弁桿
４８１：副弁体
４８３：小径部
５０：バネ
６０：第一位置調整部材（位置調整部材）
６０１：凹部
６５：第二位置調整部材
６５２：シャフト部
６５８：規制部材
７０：バネ
８０：バイパス流路
８２：電磁弁
【図１】
2014189998.tif 000003
【図２】
2014189998.tif 000004
【図３】
2014189998.tif 000005
【図４】
2014189998.tif 000006
【図５】
2014189998.tif 000007
【図６】
2014189998.tif 000008
【図７】
2014189998.tif 000009